(57)【要約】【課題】本来の表示画像の視聴を妨げずに所望の情報を表示することが可能な画像表示装置を提供する。【解決手段】入力画像データＤＩ１，ＤＩ２の１画面分の表示画像の画素数が表示部１０の表示領域の画素数よりも少ない場合に、表示画像を画像表示部２１に等倍率で表示させる。また、その残余領域であるメニュー表示部２２に、操作に係わる情報、状態に係わる情報およびアプリケーション情報のうちの少なくとも１つに相当する図形情報３を表示させる。表示画像の一部または全部が隠れたり、表示画像の縮小表示によってその画質が劣化するのが回避される。【選択図】図１
2007279220.tif 000002
【特許請求の範囲】
【請求項１】
複数の画素からなる表示領域を有する表示手段と、
入力されたディジタル画像データの１画面分の表示画像の画素数が前記表示領域の画素数よりも少ない場合に、前記表示領域に前記表示画像を等倍率で表示させると共に前記表示領域のうちの前記表示画像の残余領域に、操作に係わる情報、状態に係わる情報およびアプリケーション情報のうちの少なくとも１つを表示させる表示制御手段と
を備えたことを特徴とする画像表示装置。
【請求項２】
前記表示制御手段は、
前記ディジタル画像データと前記残余領域に表示される情報とに基づいて、前記表示領域の画素数に対応する大きさの表示画像を生成する画像生成手段と、
前記画像生成手段によって生成された表示画像が前記表示領域に表示されるように前記表示手段を駆動する駆動手段とを有する
ことを特徴とする請求項１に記載の画像表示装置。
【請求項３】
前記複数の画素は第１および第２の方向に沿って配列され、
前記１画面分の表示画像における第１および第２の方向の画素数と前記表示領域における第１および第２の方向の画素数とをそれぞれ比較する比較手段を備え、
前記表示制御手段は、前記比較手段による比較結果を用いて表示制御を行う
ことを特徴とする請求項１に記載の画像表示装置。
【請求項４】
前記表示制御手段は、前記残余領域に表示される情報の内容に応じてこの情報を前記表示画像の領域の一部にも表示させる機能を有する
ことを特徴とする請求項１に記載の画像表示装置。
【請求項５】
前記表示制御手段は、前記残余領域が前記表示画像と比べて目立たなくなるように、その残余領域の明度または色相の少なくとも一方を変更する機能を有する
ことを特徴とする請求項１に記載の画像表示装置。
【請求項６】
前記表示手段は、前記表示領域を囲む表示枠を有し、
前記表示制御手段は、前記表示枠の明度または色相に近づくように、前記残余領域の明度または色相の少なくとも一方を変更する
ことを特徴とする請求項５に記載の画像表示装置。
【請求項７】
ユーザからの操作指令を取得する取得手段を備え、
前記表示制御手段は、前記取得手段によって操作指令が所定期間取得されなかった場合に、前記残余領域の明度または色相の少なくとも一方を変更する
ことを特徴とする請求項５に記載の画像表示装置。
【発明の詳細な説明】
【技術分野】
【０００１】
本発明は、ディジタル画像データを表示する画像表示装置に関する。
【背景技術】
【０００２】
通常、テレビジョン受像機（ＴＶ（TeleVision）装置）などの画像表示装置には、入力画像に画質補正を施す画像処理機能（例えば、明暗やコントラストの調整、輪郭補正などの機能）を有している。こうした機能は、主に全体に暗くコントラストが低い画像や、細部がぼやけた画像に対して効果的に適用される。
【０００３】
また、通常は上記したような画像処理機能を用いて画像表示の設定を調整する際には、表示部に設定メニューが表示され、ユーザがその設定メニューを利用して調整項目や調整内容を選択・決定するようになっている。
【０００４】
ところが、そのように表示部に設定メニューが表示されると表示画像の一部または全部が隠れてしまい、本来の表示画像の視聴が妨げられてしまうという問題があった。
【０００５】
また、設定メニューから所望の調整項目にたどり着くまでには深い階層へ入り込む必要があることから、時間がかかると共にユーザの操作が煩雑となってしまうという問題があった。設定に時間がかかるということは、上記した表示画像の視聴が妨げられる時間も長くなってしまうことになる。
【０００６】
そこで、例えば特許文献１，２のような技術が提案されている。
【０００７】
【特許文献１】特開平１０−２９４９０７号公報
【特許文献２】特開２００５−３１６１４５号公報
【発明の開示】
【発明が解決しようとする課題】
【０００８】
しかしながら、これら特許文献１，２では、表示部に設定メニューを表示させるために本来の表示画像をスケーリングして表示（縮小表示）しているため、表示画像が劣化してしまうという問題があった。なお、このような問題は、画像表示の設定を調整する場合だけでなく、装置の状態に係わる情報を表示したい場合や、所定のアプリケーション情報を表示したい場合などにも生ずるものである。
【０００９】
このように、表示画像を縮小表示させつつ表示させた設定メニューを用いている従来の技術では、本来の表示画像の視聴を妨げずにそのような所望の情報を表示することは困難であった。
【００１０】
本発明はかかる問題点に鑑みてなされたもので、その目的は、本来の表示画像の視聴を妨げずに所望の情報を表示することが可能な画像表示装置を提供することにある。
【課題を解決するための手段】
【００１１】
本発明の画像表示装置は、複数の画素からなる表示領域を有する表示手段と、入力されたディジタル画像データの１画面分の表示画像の画素数が表示領域の画素数よりも少ない場合に、この表示領域に表示画像を等倍率で表示させると共に表示領域のうちの表示画像の残余領域に、操作に係わる情報、状態に係わる情報およびアプリケーション情報のうちの少なくとも１つを表示させる表示制御手段とを備えたものである。
【００１２】
ここで、「操作に係わる情報」とは、装置を操作したり設定するための情報を表し、例えば表示手段の明るさやコントラストを設定するための情報などを意味する。また、「状態に係わる情報」とは、例えば装置の消費電力や音量などの状態を示す情報などを意味する。また、「アプリケーション情報」とは、所定のアプリケーションソフトを起動するためのものや、このアプリケーションソフトによって得られる情報などを表し、例えば映画の字幕情報や、天気情報を取得するアプリケーションソフトによって得られた天気情報などを意味する。なお、ここでいう「装置」とは、画像表示装置自身のみならず、この画像表示装置に接続されている他の機器をも含む意味である。
【００１３】
本発明の画像表示装置では、ディジタル画像データの１画面分の表示画像の画素数が表示領域の画素数よりも少ない場合、表示画像が表示領域に表示されつつ、この表示画像の残余領域に、操作に係わる情報、状態に係わる情報およびアプリケーション情報のうちの少なくとも１つが表示される。よって、これらの情報の表示によって、表示画像の一部または全部が隠れることはない。また、表示画像は等倍率で表示されるため、縮小表示による画質劣化のおそれもない。
【発明の効果】
【００１４】
本発明の画像表示装置によれば、入力されたディジタル画像データの１画面分の表示画像の画素数が表示領域の画素数よりも少ない場合に、表示画像を表示領域に等倍率で表示させつつその残余領域に、操作に係わる情報、状態に係わる情報およびアプリケーション情報のうちの少なくとも１つを表示させるようにしたので、表示画像が隠れたりその画質が劣化するのを回避することができる。よって、本来の表示画像の視聴を妨げずに所望の情報を表示することが可能となる。
【発明を実施するための最良の形態】
【００１５】
以下、本発明の実施の形態について、図面を参照して詳細に説明する。
【００１６】
図１は、本発明の一実施の形態に係る画像表示装置（ＴＶ装置１）の全体構成を表すものである。このＴＶ装置１は、ディジタル放送波信号を受信して表示部１０に画像を表示することが可能なディジタル放送用のものであり、移動ボタン４１や確定ボタンなどを備えるリモコン４から制御信号（リモコン信号Ｓ１）によって操作可能となっている。なお、後述するようにこのＴＶ装置１ではアナログ放送波信号による画像表示も可能となっているが、ディジタル放送波信号による画像表示のみを行うものでもよい。
【００１７】
表示部１０は、表示枠１０Ａに囲まれた表示領域であり、ディジタルやアナログの放送波信号による表示画像が表示される画像表示部２１と、後述する所定の図形情報３が表示されるメニュー表示部２２とから構成されている。このメニュー表示部２２には、例えば表示部１０の表示設定（例えば、明るさやコントラストなどの設定）を行うための複数の図形情報３１，３２，３３，…，３ｎ，…が、並んで配置されている。そして後述するように、ユーザはリモコン４を用いてこれらの図形情報３の選択や確定操作を行うことにより、例えば上記したような表示部１０の表示設定を調整することができるようになっている。なお、図１に示したメニュー表示部２２では、図形情報３が垂直方向に沿って１列に並んで配置されているが、例えば２列や３列など、複数列に並んで配置されているようにしてもよい。
【００１８】
図２は、ＴＶ装置１の回路構成を表すものである。このＴＶ装置１は、アナログチューナ１１Ａと、ディジタルチューナ１１Ｂと、セレクタ１１Ｃと、ＭＰＥＧ（Moving Picture Experts Group）デコーダ１２Ｂ、画像信号変換回路１２Ａ、音声信号Ａ／Ｄ（Analog／Digital）回路１３Ａと、音声信号処理回路１３Ｂと、音声信号増幅回路１３Ｃと、スピーカ１６と、画像信号処理回路１４Ｂと、画像信号生成合成回路１５と、表示駆動回路１４Ｃと、表示部１０と、リモコン受光部１７Ａと、ネットワーク端子部１７Ｂと、ネットワークＩ／Ｆ（インタフェース）１７Ｃと、ＣＰＵ（Central Processing Unit）１８Ａと、フラッシュＲＯＭ（Read Only Memory）１８Ｂと、ＳＤＲＡＭ（Synchronous Dynamic Random Access Memory）１８Ｃと、音声・画像信号デコーダ１８Ｄとを備えている。
【００１９】
アナログチューナ１１Ａは、アナログ放送波信号を受信すると共に復調し、画像信号および音声信号をそれぞれベースバンド信号として出力するものである。また、ディジタルチューナ１１Ｂは、ディジタル放送波信号を受信すると共に復調し、ＭＰＥＧ−ＴＳストリーム信号として出力するものである。また、セレクタ１１Ｃは、外部入力データＤ１（ＭＰＥＧ−ＴＳストリーム信号等）を入力するためのものである。なお、この外部からＴＶ装置１へ入力される信号としては、例えば他のチューナやＨＤＤ（Hard Disk Drive）記憶装置等からの出力信号が挙げられる。
【００２０】
画像信号変換回路１２Ａは、アナログチューナ１１Ａから出力される画像のベースバンド信号を復調すると共にＡ／Ｄ（ディジタル／アナログ）変換を行い、ディジタルコンポーネント信号として出力するものである。また、ＭＰＥＧデコーダ１２Ｂは、ディジタルチューナ１１Ｂまたはセレクタ１１Ｃから出力されるＭＰＥＧ−ＴＳストリーム信号を復調し、同様にディジタルコンポーネント信号として出力するものである。
【００２１】
音声信号Ａ／Ｄ回路１３Ａは、アナログチューナ１１Ａから出力される音声のベースバンド信号に対してＡ／Ｄ変換を行い、ディジタル音声信号として出力するものである。また、音声信号処理回路１３Ｂは、この音声信号Ａ／Ｄ回路１３Ａまたは後述する音声・画像信号デコーダ１８Ｄから出力されるディジタル音声信号に対して、例えばレベル調整、合成またはステレオ処理などの所定の音声信号処理を行うものである。また、音声信号増幅回路１３Ｃは、この音声信号処理回路１３Ｂから出力される音声信号を所望の音量となるように増幅するものであり、スピーカ１６は、この増幅された音声信号を外部に出力するものである。
【００２２】
画像信号処理回路１４Ｂは、画像信号変換回路１２ＡまたはＭＰＥＧデコーダ１２Ｂから出力されるディジタルコンポーネント信号に対して、例えばコントラスト調整、色の調整または明るさ調整などの所定の画像信号処理を行うものである。画像信号生成合成回路１５は、詳細は後述するが、図１に示したような所定の図形情報の信号を生成すると共に、この生成された図形情報の信号と、画像信号処理回路１４Ｂや後述する音声・画像信号デコーダ１８Ｄから出力される画像信号とを合成して出力するものである。また、表示駆動回路１４Ｃは、画像信号生成合成回路１５から出力される画像信号に基づき、表示部１０に対して所定の表示駆動を行うものである。
【００２３】
表示部１０は、水平方向および垂直方向に沿って複数の画素が配設されたものであり、表示駆動回路１４Ｃによる駆動信号に応じて、画像信号生成合成回路１５によって画像合成後の画像表示を行うものである。この表示部１０は、どのような種類の表示デバイスであってもよく、例えばＣＲＴ（Cathode-Ray Tube）やＬＣＤ（Liquid Crystal Display）、ＰＤＰ（Plasma Display Panel）、有機または無機のＥＬ（ElectroLuminescence）ディスプレイ、プロジェクション型ディスプレイなどにより構成される。なお、この表示部１０が有する画素数の例（解像度の例）としては、例えば、水平方向２０４８画素×垂直方向１０８０画素のＤＣＩ（Digital Cinema Initiative）規格のものなどが挙げられる。
【００２４】
ここで図３〜図５を参照して、上述の画像信号生成合成回路１５の構成を詳細に説明する。図３は、画像信号生成合成回路１５の機能ブロックを表したものである。
【００２５】
この画像信号生成合成回路１５は、画素数比較部１５Ａと、図形情報生成部１５Ｂと、合成部１５Ｃとを有している。
【００２６】
画素数比較部１５Ａは、表示部１０における表示領域の水平方向および垂直方向の画素数を予め記憶しておき、この表示領域における水平方向および垂直方向の画素数と、入力画像データ（画像信号処理回路１４Ｂから入力される入力画像データＤＩ１または音声・画像デコーダ１８Ｄから入力される入力画像データＤＩ２）における１画面分の水平方向および垂直方向の画素数との大小をそれぞれ比較するものである。
【００２７】
また、図形情報生成部１５Ｂは、後述するＣＰＵ１８Ａの指示に従ってＳＤＲＡＭ１８Ｃから読み出されたデータに基づいて、図１に示したような、表示部１０うちのメニュー表示部２２に表示するための図形情報３を生成するものである。この図形情報３の具体例としては、例えば図４（Ａ）に示したような表示部１０の明るさを設定するための図形情報３Ａや、図４（Ｂ）に示したようなＴＶ装置１の消費電力を示す情報である図形情報３Ｂや、図４（Ｃ）に示したようなスピーカ１６の音量を示す情報である図形情報３Ｃなど、ＴＶ装置１の操作（設定）や状態に係わる情報などが挙げられる。また、この図形情報３としては、図形情報３Ａ〜３Ｃのように文字通り図形で示されているだけでなく、図４（Ｄ）に示した図形情報３Ｄのように、図形に加えて文字（この場合、「明るさ」という文字情報３Ｄの内容を表す文字Ｌ１）が付されているようにしてもよい。
【００２８】
合成部１５Ｃは、画素数比較部１５Ａによる画素数の大小の比較結果を用いて、画像信号処理回路１４Ｂからの入力画像データＤＩ１または音声・画像デコーダ１８Ｄからの入力画像データＤＩ２と、図形情報生成部１５Ｂによって生成された図形情報３とを合成し、表示部１０の表示領域の画素数に対応する大きさの表示画像を生成するものである。
【００２９】
具体的には、例えば表示部１０が前述のＤＣＩ規格のものである場合、その表示領域における水平方向および垂直方向の画素数はそれぞれ２０４８画素、１０８０画素となることから、例えば図５（Ａ）に示したＦｕｌｌ−ＨＤ（High Definition）規格（水平方向１９２０画素×垂直方向１０８０画素）の入力画像データＤＩＡの場合、水平方向の画素数が表示部１０の表示領域のものと比べて少ないこととなり、その旨の比較結果が画素数比較部１５Ａから出力される。よってそのような場合、合成部１５Ｃは、例えば図５（Ｂ）に示したように、この１画面分の入力画像データＤＩＡが等倍率でそのまま画像表示部２１に表示され、図形情報３がその残余領域であるメニュー表示部２２（この場合、水平方向１２８画素×垂直方向１０８０画素分の領域）に表示されるようにして、画像合成を行う。
【００３０】
なお、この合成部１５Ｃは、例えば表示部１０の１画面分の表示領域に対応する大きさの記憶部（図示せず）を用いて、上記したような画像合成を行うようになっており、この記憶部は、画像信号合成部１５自身が有するようにしてもよく、後述するＳＤＲＡＭ１８Ｃを用いるようにしてもよい。
【００３１】
図２の説明に戻り、リモコン受光部１７Ａは、リモコン４からのリモコン信号Ｓ１を受信するものである。また、ネットワーク端子１７Ｂは、図示しない例えば有線ローカルネットワーク（ＬＡＮ；Local Area Network）などの外部ネットワークを介して外部入力データＤ２（音声信号および画像信号）を入力するための端子であり、ネットワークＩ／Ｆ１７Ｃは、このネットワーク端子１７Ｂから入力された音声信号および画像信号のインタフェース部分であり、例えばＰＣＩ（Peripheral Component Interconnect）バスなどの内部バスＢ１に接続されている。なお、この内部バスＢ１には、ネットワークＩ／Ｆの他に、ＣＰＵ１８Ａ、フラッシュＲＯＭ１８Ｂ、ＳＤＲＡＭ１８Ｃ、音声・画像信号デコーダ１８Ｄおよび画像信号生成合成回路１５が互いに共通接続されている。
【００３２】
ＣＰＵ１８Ａは、リモコン受光部１７Ａによる受光動作をはじめ、ＴＶ装置１全体の動作を制御するものである。また、フラッシュＲＯＭ１８Ｂは、ＣＰＵ１８Ａによって使用される所定のソフトウェア等が格納されている不揮発性の記憶部であり、ＳＤＲＡＭ１８Ｃは、ＣＰＵ１８Ａの実行領域に対応する記憶部である。なお、このＣＰＵ１８Ａのソフトウェア格納および実行領域としての記憶部としては、このようなフラッシュＲＯＭやＳＤＲＡＭには限られず、例えばＨＤＤなどの外部記憶装置などを用いるようにしれもよい。
【００３３】
音声画像信号デコーダ１８Ｄは、ネットワーク端子部１７ＢおよびネットワークＩ／Ｆ１７Ｃを介して外部から入力された映像信号および音声信号を復調し、それぞれディジタルコンポーネント信号およびディジタル音声信号として出力するものである。なお、ディジタルコンポーネント信号は画像信号生成合成回路１５へ出力され、ディジタル音声信号は音声信号処理回路１３Ｂへ出力されるようになっている。
【００３４】
ここで、表示部１０の表示領域が本発明における「表示領域」の一具体例に対応し、メニュー表示部２２の表示領域が本発明における「残余領域」の一具体例に対応する。また、入力画像データＤＩ１，ＤＩ２が本発明における「ディジタル画像データ」の一具体例に対応する。また、図形情報３が、本発明における「操作に係わる情報、状態に係わる情報およびアプリケーション情報のうちの少なくとも１つ」の一具体例に対応する。また、画像信号生成合成回路１５および表示駆動回路１４Ｃが本発明における「表示制御手段」の一具体例に対応し、そのうちの画素数比較部１５Ａが本発明における「比較手段」の一具体例に対応し、合成部１５Ｃが本発明における「画像生成手段」の一具体例に対応し、表示駆動回路１４Ｃが本発明における「駆動手段」の一具体例に対応する。
【００３５】
次に、本実施の形態のＴＶ装置１の動作について説明する。最初に、このＴＶ装置１の基本動作について説明する。
【００３６】
まず、アナログチューナ１１Ａによって受信されたアナログ放送波信号Ｓ２は、復調されて画像信号および音声信号のベースバンド信号となり、それぞれ画像信号変換回路１２Ａおよび音声信号Ａ／Ｄ回路１３Ａによってディジタルコンポーネント信号およびディジタル音声信号に変換され、画像信号処理回路１４Ｂおよび音声信号処理回路１３Ｂへ出力される。
【００３７】
また、ディジタルチューナ１１Ｂによって受信されたディジタル放送波信号Ｓ３またはセレクタ１１Ｃから入力された外部入力データＤ１は、ＭＰＥＧ−ＴＳストリーム信号としてＭＰＥＧデコーダ１２Ｂへ入力し、復調されてディジタルコンポーネント信号およびディジタル音声信号として、それぞれ画像信号処理回路１４Ｂおよび音声信号処理回路１３Ｂへ出力される。
【００３８】
また、ネットワーク端子部１７ＢおよびネットワークＩ／Ｆ１７Ｃを介して入力された外部入力データＤ２は、内部バスＢ１を介して音声・画像信号デコーダ１８Ｄへ入力し、復調されてディジタルコンポーネント信号およびディジタル音声信号として、それぞれ画像信号生成合成回路１５および音声信号処理回路１３Ｂへ出力される。
【００３９】
音声信号処理回路１３Ｂでは、ディジタル音声信号に対して所定の音声信号処理がなされ、さらに音声信号増幅回路１３Ｃによって増幅され、スピーカ１６から音声が出力される。
【００４０】
また、画像信号処理回路１４Ｂでは、ディジタルコンポーネント信号に対して所定の画像信号処理がなされ、さらに画像信号生成合成回路１５において、以下説明するように所定の表示画像信号合成処理がなされ、これによりディジタルコンポーネント信号による１画面分の表示画像と、画像信号生成合成回路１５内の図形情報生成部１５Ｂによって生成される図形情報３とが合成され、表示部１０における１画面分の大きさの表示画像に対応する画像信号が出力される。そしてこの画像信号に基づいて表示駆動回路１４Ｃによる表示駆動動作がなされ、表示部１０に画像が表示される。
【００４１】
次に、図６〜図１０を参照して、本発明の特徴的部分である、画像信号生成合成回路１５における表示画像合成処理について詳細に説明する。図６は、この画像信号生成合成回路１５における表示画像合成処理を流れ図で表したものである。
【００４２】
まず、画素数比較部１５Ａは、入力画像データＤＩ１，ＤＩ２を取得すると（ステップＳ１０１）、１画面分の表示画像の画素数を算出する（ステップＳ１０２）。そしてこの算出画素数と表示部１０の表示領域の画素数とを、水平方向および垂直方向の両方向についてそれぞれ比較する（ステップＳ１０３）。
【００４３】
算出画素数と表示領域の画素数とが等しくない（具体的には、算出画素数のほうが少ない）場合（ステップＳ１０３：Ｎ）、合成部１５Ｃは、図形情報生成部１５Ｂによって生成された図形情報３と共に、１画面分の表示画像を等倍率でそのまま表示すると判断する（ステップＳ１０４）。具体的には、例えば前述の図５に示したような場合に相当し、１画面分の表示画像を表示部１０内の所定位置（図５（Ｂ）では右側）にマッピングすることにより、表示部１０の表示領域における１画面分の表示画像を生成し（ステップＳ１０５）、処理を終了する。
【００４４】
なお、ステップＳ１０３において算出画素数と表示領域の画素数とが等しいと判断された場合（ステップＳ１０３：Ｙ）、具体的には例えば表示部１０がＤＣＩ規格のものであり、入力画像データＤＩＢも図７（Ａ）に示したようにＤＣＩ規格のものの場合には、合成部１５Ｃは、１画面分の表示画像を等倍率でそのまま表示部１０の全面に表示すると判断するようにする（ステップＳ１０６）。そして合成部１５Ｃは、図７（Ｂ）に示したように、図形情報生成部１５Ｂによって生成された図形情報３を透過的に重ね合わせて合成することにより、表示部１０の表示領域における１画面分の表示画像を生成し（ステップＳ１０７）、処理を終了するようにすればよい。
【００４５】
ここで、例えば図８（Ａ）に示したような比較例に係る従来のＴＶ装置１０１では、表示部１１０全面に画像表示部１２１が設けられ、本来の表示画像上に重ね合わされるようにして、設定メニュー１０３の表示がなされている。そしてユーザはリモコン１０４の移動キー１４１や確定キー１４２により、図中の符号Ｐ１０１，Ｐ１０２のように所望の設定項目を選択していくようになっている。
【００４６】
また、このＴＶ装置１０１では、例えば図８（Ｂ）に示したように、その後さらに表示部１０１の表示領域の一部に表示される設定メニュー１２２，１２３等により、図中の符号Ｐ１０３のように、深い階層に入って所望の設定項目を選択・確定していくようになっている。
【００４７】
したがって、表示部１０に設定メニュー１０３，１２２，１２３が表示されることで表示画像の一部または全部が隠れてしまい、本来の表示画像の視聴が妨げられてしまう。また、また、設定メニューから所望の調整項目にたどり着くまでには深い階層へ入り込む必要があることから、時間がかかると共に、ユーザの操作が煩雑となってしまう。設定に時間がかかるということは、上記した表示画像の視聴が妨げられる時間も長くなってしまうことになる。さらに、設定メニューを表示させるために本来の表示画像をスケーリングして表示（縮小表示）しているため、表示画像が劣化してしまうことにもなる。
【００４８】
これに対して、本実施の形態のＴＶ装置１では、例えば図９に示したように、入力画像データＤＩ１，ＤＩ２の１画面分の表示画像の画素数が表示部１０表示領域の画素数よりも少ない場合、表示画像が画像表示部２１の表示領域に表示されつつ、この表示画像の残余領域（メニュー表示部２２）に、複数の図形情報３１，３２，…，３ｎ，…などからなる図形情報３が表示される。
【００４９】
よって、これらの図形情報３の表示によって、本来の表示画像の一部または全部が隠れることはない。また、表示画像は等倍率で表示されるため、縮小表示による画質劣化のおそれもない。
【００５０】
なお、例えば図１０に示したように、入力画像データＤＩ１，ＤＩ２の１画面分の表示画像の画素数が表示部１０表示領域の画素数と等しい場合には、透過的に重ね合わせた複数の図形情報３１Ｂ，３２Ｂ，…，３ｎＢ，…などからなる図形情報３Ｂが表示され、同様に図中の符号Ｐ２のようにして、リモコン４によって選択・決定されることとなる。
【００５１】
よって、この場合も図形情報３Ｂが透過的に表示されているので、本来の表示画像の視聴がメニュー表示部２２Ｂによってほとんど妨げられず、影響が最小限に抑えられる。
【００５２】
以上のように、本実施の形態では、入力画像データＤＩ１，ＤＩ２の１画面分の表示画像の画素数が表示部１０の表示領域の画素数よりも少ない場合に、表示画像を画像表示部２１に等倍率で表示させつつ、その残余領域であるメニュー表示部２２に、操作に係わる情報、状態に係わる情報およびアプリケーション情報のうちの少なくとも１つに相当する図形情報３を表示させるようにしたので、表示画像の一部または全部が隠れたり、表示画像の縮小表示によってその画質が劣化したりするのを回避することができる。よって、本来の表示画像の視聴を妨げずに所望の情報を表示することが可能となる。
【００５３】
また、メニュー表示部２２に表示されている図形情報３によって直接的に表示設定等の情報処理を行うことができるので、例えば所望の調整項目にたどり着くまでに深い階層へ入り込む必要がなくなり、利便よくかつ短時間にそのような処理を行うことが可能となる。
【００５４】
以上、実施の形態を挙げて本発明を説明したが、本発明はこの実施の形態に限定されるものではなく、種々の変形が可能である。
【００５５】
例えば、上記実施の形態では、図５（Ｂ）に示したように、図形情報３を表示するメニュー表示部２２が、表示部１０の表示領域における左端に配置されている場合で説明したが、表示部１０の表示領域におけるメニュー表示部２２の位置はこれには限られず、例えば図１１（Ａ）〜（Ｃ）にそれぞれ示した表示部１０Ｃ〜１０Ｅのように、右端や上端、下端に配置するようにしれもよい。また、例えば図１２（Ａ），（Ｂ）にそれぞれ示した表示部１０Ｆ，１０Ｇのように、複数の領域によってメニュー表示部を構成（この場合、２つのメニュー表示部２２１，２２２）するようにしてもよい。
【００５６】
また、上記実施の形態では、図４（Ａ）〜（Ｄ）に示したように、図形情報３がＴＶ装置１の操作（設定）や状態に係わる情報である場合について説明したが、図形情報３の例としてはこれには限られず、例えば所定のアプリケーションソフトを起動するためのものや、このアプリケーションソフトによって得られた情報であってもよい。具体的には、例えば図１３（Ａ）に示したＴＶ装置１Ｅにおける表示部１０Ｅのように、画像表示部２１に映画等が表示されている場合に、メニュー表示部２２に図形情報３Ｅとしてその映画等の字幕情報を表示するようにしてもよい。また、例えば図１３（Ｂ）に示したように、アプリケーションソフトが天気情報を取得するものである場合には、図形情報３Ｆとして、このソフトによって得られた天気情報を表示するようにしれもよい。
【００５７】
また、上記実施の形態では、メニュー表示部２２内に図形情報３を表示する場合で説明したが、この図形情報３の内容や状況等によっては、図形情報３を画像表示部２１の一部にも表示させるようにしてもよい。
【００５８】
また、ＴＶ装置１が、メニュー表示部２２に表示される図形情報３が画像表示部２１の表示画像と比べて目立たなくなるように、メニュー表示部２２の明度または色相の少なくとも一方を随時変更するようにしてもよい。また、図形情報３自体の明度または色相の少なくとも一方を随時変更させたり、メニュー表示部２２および図形情報３の両者の明度または色相の少なくとも一方を変更させるようにしてもよい。具体的には、例えば、リモコン受光部１７Ａがリモコン４から所定期間、ユーザからの操作指令（リモコン信号Ｓ１）を取得しなかったような場合に、メニュー表示部２２等の明度や色相が表示部１０周囲の表示枠１０Ａの明度や色相に近づくように変更したり、メニュー表示部２２が全体的に黒色となるように変更する。このように構成した場合、画像表示部２１に表示される本来の表示画像を、メニュー表示部２２によってより妨げられることなく、視聴することが可能となる。なお、このようにしてメニュー表示部２２等の明度や色相を変更した後は、同様に例えばリモコン受光部１７Ａがリモコン４から操作指令（リモコン信号Ｓ１）を取得した場合などに、これら明度や色相を元に戻してメニュー表示部２２に図形情報３が表示されるようにすればよい。
【００５９】
また、上記実施の形態では、図形情報３の内容が、ＴＶ装置１自身の操作（設定）や状態に係わる情報である場合について説明したが、この他にもＴＶ装置１に他の機器が接続されているような場合には、図形情報３の内容が、この機器についての操作（設定）や状態に係わる情報であってもよい。
【００６０】
また、上記実施の形態では、画像表示装置の一具体例としてＴＶ装置１を挙げて説明したが、本発明の画像表示装置は、この他にもＰＤＡ（Personal Digital Assistants）や携帯電話などにも適用可能である。
【００６１】
さらに、上記実施の形態では、動画像データを扱うＴＶ装置１を挙げて説明したが、対象となるデータとしては動画像データには限られず、この他にも静止画像データやテキストデータを扱うようにしてもよい。
【図面の簡単な説明】
【００６２】
【図１】本発明の一実施の形態に係る画像表示装置の全体構成を表す斜視図である。
【図２】図１に示した画像表示装置の構成を表す回路ブロック図である。
【図３】図２に示した画像信号生成合成回路の詳細構成を表す機能ブロック図である。
【図４】図１に示した図形情報が示す情報の一例について説明するための模式図である。
【図５】表示部内の表示領域の一例について説明するための模式図である。
【図６】画像信号生成合成回路における表示画像合成処理を表す流れ図である。
【図７】表示部内の表示領域の他の例について説明するための模式図である。
【図８】比較例に係る画像表示装置におけるメニュー表示の一例について説明するための斜視図である。
【図９】図１に示した画像表示装置におけるメニュー表示の一例について説明するための斜視図である。
【図１０】図１に示した画像表示装置におけるメニュー表示の他の例について説明するための斜視図である。
【図１１】変形例に係る表示部内の表示領域について説明するための模式図である。
【図１２】変形例に係る表示部内の表示領域について説明するための模式図である。
【図１３】変形例に係る図形情報が示す情報について説明するための模式図である。
【符号の説明】
【００６３】
１…ＴＶ装置、１０，１０Ｂ〜１０Ｇ…表示部、１０Ａ…表示枠、１１Ａ…地上波チューナ、１１Ｂ…ディジタルチューナ、１１Ｃ…セレクタ、１２Ａ…画像信号変換回路、１２Ｂ…ＭＰＥＧデコーダ、１３Ａ…音声信号Ａ／Ｄ回路、１３Ｂ…音声信号処理回路、１３Ｃ…音声信号増幅回路、１４Ｂ…画像信号処理回路、１４Ｃ…表示駆動回路、１５…画像信号生成合成回路、１５Ａ…画素数比較部、１５Ｂ…図形情報生成部、１５Ｃ…合成部、１６…スピーカ、１７Ａ…リモコン受光部、１７Ｂ…ネットワーク端子、１７Ｃ…ネットワークＩ／Ｆ、１８Ａ…ＣＰＵ、１８Ｂ…フラッシュＲＯＭ、１８Ｃ…ＳＤＲＡＭ、１８Ｄ…音声・画像信号デコーダ、２１，２１Ｂ…画像表示部、２２，２２Ｂ，２２１，２２２…メニュー表示部、３，３Ａ〜３Ｆ…図形情報、４…リモコン、４１…移動ボタン、４２…確定ボタン、Ｓ１…リモコン信号、Ｓ２…アナログ放送波信号、Ｓ３…ディジタル放送波信号、Ｄ１，Ｄ２…外部入力データ、ＤＩ１，ＤＩ２，ＤＩＡ，ＤＩＢ…入力画像データ、ＤＯ…合成画像データ、Ｌ１…文字。
【図１】
2007279220.tif 000003
【図２】
2007279220.tif 000004
【図３】
2007279220.tif 000005
【図４】
2007279220.tif 000006
【図５】
2007279220.tif 000007
【図６】
2007279220.tif 000008
【図７】
2007279220.tif 000009
【図８】
2007279220.tif 000010
【図９】
2007279220.tif 000011
【図１０】
2007279220.tif 000012
【図１１】
2007279220.tif 000013
【図１２】
2007279220.tif 000014
【図１３】
2007279220.tif 000015